(57)【特許請求の範囲】
【請求項１】
外周部に臨んでヘッドを取付けた回転ドラムを有する回転ヘッド装置において、
前記回転ドラムの軸線方向の一端側に外周側に向かって開放された段部から成りかつ円周方向に沿って保持部を有する保持部材を設けるとともに、ほぼ円板状をなす押え板を具備し、前記押え板の外周部にほぼ半径方向に延びるスリットを円周方向に沿って設け、該スリットに切込みによる押え部を形成し、
円周方向の所定の位置の前記保持部に球状をなすバランスウエートを保持し、前記押え板の外周部に形成されているほぼ半径方向に延びるスリットによって弾性変形させて前記押え部によって前記バランスウエートを押えて回転調整を行なうことを特徴とする回転ヘッドドラム装置。
【請求項２】
前記押え板の外周部が、前記段部から成る保持部の軸線方向の開放端を閉じるように前記押え板が前記保持部材と軸線方向に重合って取付けられることを特徴とする請求項１に記載の回転ヘッドドラム装置。
【請求項３】
前記保持部材が前記回転ドラムを回転駆動するモータのロータヨークと兼用され、該ロータヨークの外周側の段部が保持部であることを特徴とする請求項１に記載の回転ヘッドドラム装置。
【請求項４】
前記押え部が前記スリットの最奥部に形成されていることを特徴とする請求項１に記載の回転ヘッドドラム装置。
【請求項５】
前記押え部が前記スリットの長さ方向の中間位置に形成されていることを特徴とする請求項１に記載の回転ヘッドドラム装置。
【請求項６】
前記回転ドラムの軸線方向の一端側に前記保持部を設けるとともに、前記回転ドラムの軸線方向の他端側に第２の保持部を設け、前記保持部および前記第２の保持部の所定の位置にそれぞれ球状をなすバランスウエートを保持して回転調整を行なうことを特徴とする請求項１に記載の回転ヘッドドラム装置。
【請求項７】
前記回転ドラムと固定ドラムとを軸線方向に重ねて配し、テープ状記録媒体を前記回転ドラムに対してヘリカルに巻付けて前記回転ドラムに設けたヘッドによって前記テープ状記録媒体に対して斜めに走査するようにした回転ヘッドドラム装置であって、
前記固定ドラム内に前記回転ドラムを回転駆動するモータを配し、しかも該モータのロータを前記回転ドラムに固定し、さらに前記回転ドラム上にロータリトランスを配し、
前記モータのロータの外周部に前記保持部を設けるとともに、前記回転ドラム上であって前記ロータリトランスのロータの外周側に前記第２の保持部を設け、前記保持部および前記第２の保持部の円周方向の所定の位置にそれぞれバランスウエートを取付けるようにしたことを特徴とする請求項６に記載の回転ヘッドドラム装置。
【請求項８】
前記第２の保持部が上方であって軸線方向の端部に開放された保持溝から構成され、該保持溝にバランスウエートが圧入保持されることを特徴とする請求項６に記載の回転ヘッドドラム装置。
【発明の詳細な説明】
【０００１】
【発明の属する技術分野】
本発明は回転ヘッドドラム装置に係り、とくに外周部に臨んでヘッドを取付けた回転ドラムを有する回転ヘッドドラム装置に関する。
【０００２】
【従来の技術】
ＶＴＲ等のヘリカルスキャン方式の磁気記録再生装置は、回転ヘッドドラムを備える。回転ヘッドドラムは外周部に臨んで磁気ヘッドを有するとともに、固定ガイドドラムと軸線方向に上下に重ねて配されるようになっており、その外周側にヘリカルに磁気テープを巻付け、回転ドラムを駆動することによって上記磁気ヘッドで磁気テープ上を斜めに走査することによって、信号の書込みと読出しとを行なうようにしたものである。
【０００３】
このようなヘリカルスキャン方式の記録再生装置において、それを搭載する機器の小型軽量化に伴って回転ヘッドドラム装置も小型軽量化が図られるとともに、その回転速度も高速化する傾向にある。従って高速回転時に発生する振動を低減することは、この回転ヘッドドラム装置を搭載する機器の商品性の向上から強く求められる。そこで例えば特開２００１−２３１０５号公報に開示されているように、半田を取付けて回転ヘッドドラム装置の回転バランスを調整することによって、高速回転時に発生する振動の低減を図るようにしている。
【０００４】
従来の回転ヘッドドラム装置における回転バランスの調整は、上記のように所定の位置に半田付けするか、重りを接着する方法であった。すなわち半田を用いない場合は接着剤あるいは両面接着テープによって重りを回転ヘッドドラムの所定の位置に取付けるようにしていた。あるいはまた接着剤に比重の重い金属を添加し、振動低減に必要な重量を得、このような接着剤を回転体の所望の位置に塗布硬化させる方法である。あるいはまた上記のように、回転体の金属部分または半田付け調整用に取付けた板金に半田を適量加熱溶着させる方法が採用されていた。
【０００５】
【発明が解決しようとする課題】
接着剤あるいは両面接着テープによって重りを回転ドラムの所定の位置に取付ける方法は、接着剤の付着飛散を発生し易く、あるいはまた接着部の剥れの発生を起し易く、作業性と信頼性の点で問題が発生し易い欠点があった。
【０００６】
これに対して接着剤に比重の重い銅等の金属を添加して振動低減に必要な重量を得、これを回転ドラムに塗布して硬化させる方法は、実現できる比重に限度があるとともに、その硬化のための時間および紫外線照射等の後処理が必要なことから、小型軽量化と生産性の点で問題があった。
【０００７】
回転ドラムの所定の位置に半田付けを行なう方法は、半田を加熱溶融するときに、半田に含まれるフラックスが飛散することによって生産性が阻害されるとともに、半田付けに必要な部品を追加することによって材料費が増加する等の欠点があった。
【０００８】
本願の発明はこのような問題点に鑑みてなされたものであって、接着剤、両面接着テープ、半田付け等の方法による回転バランスの調整に伴う欠点を解消し、バランス調整の作業性が改善されるとともに作業時間が短縮され、しかも材料費を大幅に削減することが可能な回転ヘッドドラム装置を提供することを目的とする。
【０００９】
【課題を解決するための手段】
本願の主要な発明は、外周部に臨んでヘッドを取付けた回転ドラムを有する回転ヘッド装置において、
前記回転ドラムの軸線方向の一端側に外周側に向かって開放された段部から成りかつ円周方向に沿って保持部を有する保持部材を設けるとともに、ほぼ円板状をなす押え板を具備し、前記押え板の外周部にほぼ半径方向に延びるスリットを円周方向に沿って設け、該スリットに切込みによる押え部を形成し、
円周方向の所定の位置の前記保持部に球状をなすバランスウエートを保持し、前記押え板の外周部に形成されているほぼ半径方向に延びるスリットによって弾性変形させて前記押え部によって前記バランスウエートを押えて回転調整を行なうことを特徴とする回転ヘッドドラム装置に関するものである。
【００１０】
ここで、前記押え板の外周部が、前記段部から成る保持部の軸線方向の開放端を閉じるように前記押え板が前記保持部材と軸線方向に重合って取付けられてよい。また前記保持部材が前記回転ドラムを回転駆動するモータのロータヨークと兼用され、該ロータヨークの外周側の段部が保持部であることが好ましい。また前記押え部が前記スリットの最奥部または長さ方向の中間位置に形成されてよい。
【００１１】
本願の別の発明は、前記回転ドラムの軸線方向の一端側に前記保持部を設けるとともに、前記回転ドラムの軸線方向の他端側に第２の保持部を設け、前記保持部および前記第２の保持部の所定の位置にそれぞれ球状をなすバランスウエートを保持して回転調整を行なうことを特徴とする回転ヘッドドラム装置に関するものである。
【００１２】
本願のさらに別の発明は、前記回転ドラムと固定ドラムとを軸線方向に重ねて配し、テープ状記録媒体を前記回転ドラムに対してヘリカルに巻付けて前記回転ドラムに設けたヘッドによって前記テープ状記録媒体に対して斜めに走査するようにした回転ヘッドドラム装置であって、
前記固定ドラム内に前記回転ドラムを回転駆動するモータを配し、しかも該モータのロータを前記回転ドラムに固定し、さらに前記回転ドラム上にロータリトランスを配し、
前記モータのロータの外周部に前記保持部を設けるとともに、前記回転ドラム上であって前記ロータリトランスのロータの外周側に前記第２の保持部を設け、前記保持部および前記第２の保持部の円周方向の所定の位置にそれぞれバランスウエートを取付けるようにしたことを特徴とする回転ヘッドドラム装置に関するものである。
【００１３】
ここで前記第２の保持部が上方に開放された保持溝から構成され、該保持溝にバランスウエートが圧入保持されることが好適である。
【００１４】
本願に含まれる発明の好ましい態様は、テープ状記録媒体をヘリカルに巻付けて回転ドラムに取付けられたヘッドによって上記テープ状記録媒体に対する記録再生を行なう回転ヘッドドラム装置において、回転ドラムに取付けられている保持部材と円板状のホルダとの間に球状をなすバランスウエートを挿入することによって、回転調整の小型軽量化と生産性の向上とを実現するようにしたものである。
【００１５】
本願に含まれる発明のさらに別の態様は、回転ヘッドドラムを駆動するモータのロータヨークに形成されている段部と押え板との間の部分に上記押え板を弾性変形させながら球状をなす金属球を圧入することによってこの金属球を保持し、さらに必要に応じて、回転ドラムの軸線方向の離れた位置にある別の保持リングの円周方向の所定の位置に金属球を圧入することによって、回転ドラムの回転時における偶力の発生を解消するようにしたものである。
【００１６】
このような態様によれば、回転に伴う振動の低減の調整作業の時間短縮が実現できるために、大量生産時の振動調整機の台数を削減でき、設備投資の削減が可能になる。また押え板として安価な打抜き鋼板を採用することによって、材料費を大幅に削減することが可能になる。また打抜き鋼板から成る押え板を利用することによって、その肉厚を薄くすることによってこの押え板が取付けられる回転ドラムの軸線方向の寸法が小さくなる。また従来の接着テープや接着剤の塗布および硬化に比較して、重りの脱落や飛散に対する信頼性が向上する利点がある。
【００１７】
【発明の実施の形態】
図１および図２は本発明の一実施の形態に係る回転ヘッドドラム装置の全体の構成を示すものであって、この回転ヘッドドラム装置は回転ヘッドドラム２０と、固定ガイドドラム２１と、補助ガイド２２とから構成される。そして補助ガイド２２の側面側からはビデオ信号用フレキシブル基板２３が引出されるとともに、固定ガイドドラム２１の側面側からモータ駆動用フレキシブル基板２４が引出される。
【００１８】
次に図３〜図６によって回転ヘッドドラム２０の構造を説明する。回転ヘッドドラム２０はその直径が例えば２１．７ｍｍφであって、その下面にヘッドベース２７を取付けており、このヘッドベース２７の先端側であって回転ヘッドドラム２０の外周側に臨むように磁気ヘッド２８を支持している。また回転ヘッドドラム２０を貫通するように支軸３０が挿通される。支軸３０の外周側には予圧ばね２９が介装されるとともに、支軸３０は上下一対の軸受ベアリング３１、３２によって回転ヘッドドラム２０を回転可能に支持する。そして上記支軸３０の下端側の部分が図２に示す下側の固定ガイドドラム２１の中心孔３３に圧入されている。
【００１９】
次に回転ヘッドドラム２０の下側であって上記固定ガイドドラム２１内に配されるモータの構造について説明する。固定ガイドドラム２１の内側であってその底部側にはステータを構成するコイル基板３４が収納保持される。これに対して回転ヘッドドラム２０の下面にはとくに図５に示すように、端子取付け板３５を介してロータヨーク３６が取付けられる。このロータヨーク３６の下面にはマグネット３７が固着されており、このマグネット３７がエアギャップを介して上記コイル基板３４上のステータコイルに対向する。また回転ヘッドドラム２０の下端側の部分にはバックヨーク３８が取付けられ、このバックヨーク３８が上記コイル基板３４の下側に位置することになる。従ってステータを構成するコイル基板３４に対してその上下にそれぞれマグネット３７を有するロータヨーク３６とバックヨーク３８とが配されることになる。
【００２０】
次に回転ヘッドドラム２０の上側に取付けられるロータリトランスの構造について説明する。ロータリトランスは回転ヘッドドラム２０の上部に取付けられ、回転ヘッドドラム２０とともに回転するロータ４１と、このロータ４１と対向するようにその上側に配されるステータ４２とから構成される。ステータ４２は取付けボス４３の下面に支持されている。なお取付けボス４３は上記支軸３０の上端側に圧入によって結合されている。
【００２１】
次にこのようなロータリトランスのロータ４１に設けられている接続構造について図７〜図１１により説明する。ロータ４１は磁性材料、例えばフェライトから成る円板によって構成され、その上面には同心円状に複数の溝４６が形成されるとともに、これらの溝４６にそれぞれ巻線４７が巻装された状態で挿入されている。またロータ４１の外周側には端子取付け板４８が取付けられるとともに、この端子取付け板４８に端子４９が支持されている。端子４９はとくに図８〜図１１に示すように弾性変形によって開成する一対のばね接点５０を備えている。これらのばね接点５０はその先端側の部分が外側へ開いた傾斜面５１になっている。またこのような傾斜面５１を有するばね接点５０の先端側であってその両肩の部分が切欠かれて切欠き５２になっている。
【００２２】
これら一対ずつのばね接点５０は端子取付け板４８に一体に形成されている４枚の案内壁５３の内側に配されている。そして上記端子取付け板４８とロータ４１との間に取付け板５４が介装され、この取付け板５４のアーム５５の先端側のビス挿通孔５６を挿通するビス５７が図５に示すように回転ヘッドドラム２０の上面にねじ込まれることによって回転ヘッドドラム２０にロータ４１が固定される。このときに案内壁５３によってその内側に配されているばね接点５０が回転ヘッドドラム２０の貫通孔３９の内側に位置することになる。
【００２３】
次に回転ヘッドドラム２０の下側に取付けられる端子取付け板３５の構成を図１２〜図１６によって説明する。端子取付け板３５にはその円周方向の互いに１８０度離れた位置にそれぞれ上方に突出するように突起状部６０が形成されている。これらの突起状部６０はその先端側の部分が楔状をなして傾斜案内面６１を形成している。また突起状部６０はその互いに反対側の部分にそれぞれリブ６２を備えている。
【００２４】
端子取付け板３５上に取付けられているヘッドコンタクト端子６３の電極部６４が上記突起状部６０の傾斜案内面６１の下側であってその外表面に延びるように折曲げて配されている。またヘッドコンタクト端子６３によって案内板６５が形成され、この案内板６５によって突起状部６０の両側の部分を塞ぐようにし、これによってばね接点５０を突起状部６０の傾斜案内面６１側に導入するようにしている。またヘッドコンタクト端子６３はばね接点６６を備え、このばね接点６６が上記磁気ヘッド２８を備えるヘッドベース２７の接続用ランドに圧着されるようになっている。
【００２５】
以上のような構成において、固定ガイドドラム２１内のコイル基板３４のコイルにモータ駆動用フレキシブル基板２４を通して通電すると、コイルに流れる電流がロータヨーク３６のマグネット３７によって形成される磁気回路と鎖交するために、このモータによって回転ヘッドドラム２０が固定ガイドドラム２１に対して回転駆動される。従って回転ヘッドドラム２０および固定ガイドドラム２１の周囲にヘリカルに巻付けられている磁気テープに対して、回転ヘッドドラム２０の外周面に臨むように取付けられている磁気ヘッド２８が斜めに走査される。
【００２６】
外部からビデオ信号を供給して磁気ヘッド２８によって磁気テープ上に信号を書込む場合には、ビデオ信号用フレキシブル基板２３を通して回転ヘッドドラム２０上のロータリトランスのステータ４２に信号を供給する。するとこの信号が同ロータリトランスのロータ４１側に伝達される。そしてロータリトランスのロータ４１から端子取付け板４８の端子４９、ばね接点５０を通して、端子取付け板３５のヘッドコンタクト端子６３の電極部６４に信号が伝達される。そしてこの信号がヘッドコンタクト端子６３のばね接点６６を通してヘッドベース２７に支持されている磁気ヘッド２８に伝達されて磁気テープ上に書込まれる。
【００２７】
これに対して磁気テープに書込まれている信号を読出す場合には、磁気ヘッド２８によって読出された信号がヘッドコンタクト端子６３のばね接点６６から電極部６４に伝えられ、この電極部６４からばね接点５０を有する端子４９に伝達され、この端子４９からロータリトランスのロータ４１の巻線４７に伝達される。従ってこの巻線４７に生じた信号がロータリトランスのステータ４２を通してビデオ信号用フレキシブル基板２３によって固定側の回路に伝達される。
【００２８】
次にこのような回転ヘッドドラム装置における回転ヘッドドラム２０の回転のバランス調整のための構造について説明する。図２および図５に示すように回転ヘッドドラム２０を回転駆動するためのモータのロータヨーク３６の外周側の部分には段部から成る保持部６９が形成されており、この保持部６９がバランスウエートを構成する鋼球７０の保持部になっている。そしてロータヨーク３６の上面であって上記端子取付け板３５との間に挟着して取付けられている押え板７１が上記バランスウエート７０を押え、その脱落を防止するようになっている。
【００２９】
押え板７１は例えば板厚が０．１ｍｍの打抜き鋼板から構成されており、図１７、図１９、あるいは図２１に示すように、その外周側に円周方向に沿って多数のスリット７２が形成されている。しかもこのようなスリット７２の最奥部あるいは中間部には図１８、図２０、あるいは図２２に示すように押え部を構成する切込み７３が形成されている。段部６９に保持されかつ押え板７１によって押えられた鋼球７０はこの押え円板７１の外周側のスリット７２の切込み７３によってその上端側の一部が拘束され、これによってその位置で安定的に保持される。従ってバランスウエート保持部６９の円周方向の所望の位置に鋼球７０を挿入して押え板７１のスリット７２の切込み７３で押えるだけで、回転ヘッドドラム２０の回転調整が達成される。
【００３０】
しかもこの実施の形態の回転ヘッドドラム装置は図２および図５に示すように、ロータリトランスのロータ４１の外周側であって回転ヘッドドラム２０の上面にモールドリング７４を備えており、このモールドリング７４の上部に開放されているバランスウエート保持溝７５にバランスウエートを構成する鋼球７６を挿入して保持するようにしている。ここで鋼球７６は保持溝７５に圧入される。従ってこれにより、回転ヘッドドラム２０の軸線方向の上端側であって上記バランスウエート保持部６９の鋼球７０による調整位置とは軸線方向のずれた位置でも同時に回転調整を行なうことが可能になる。このような構成によって、回転時における回転ヘッドドラム２０の偶力の発生が防止される。
【００３１】
このように本実施の形態の回転ヘッドドラム装置においては、回転ヘッドドラム２０の回転時の振動を低減する目的で、回転ヘッドドラム２０に取付けられているロータヨーク３６の外周側の保持部６９と押え円板７１との間に形成されるスペースに鋼球７０を押え円板７１の外周部をスリット７２の部分で弾性変形させて圧入することによって保持を行なうようにしている。ここで挿入された鋼球７０はスリット７２の切込みから成る押え部７３によって保持される。このために小型軽量でしかも高い生産性と信頼性とを有する回転ヘッドドラム装置が提供される。
【００３２】
また回転軸線方向に厚みがある回転ヘッドドラム２０のような回転体の振動には偶力の発生が伴われる。これを解消するためには軸線方向の離れた２個所以上の位置で回転振動を調整することが必要である。そこで本実施の形態の回転ヘッドドラム装置２０は上記ロータヨーク３６の外周側の段部６９に鋼球７０を保持すると同時に、回転ヘッドドラム２０の上面に取付けられているモールドリング７４の保持溝７５に鋼球７６を圧入あるいは接着によって取付け、これによって偶力の発生の解消を図っている。
【００３３】
なお上記回転ヘッドドラム２０のロータヨーク３６の上側に取付けられる押え板７１としては、図１７、図１９、あるいは図２１に示すような各種の形状のスリット７２を有する押え円板７１を用いることができる。これらの押え円板７１は図１８、図２０、あるいは図２２に示すようにスリット７２の最奥部あるいはその中間位置に切込みから成る押え部７３を備え、このような押え部７３で挿入された鋼球７０を押えて保持するようにしている。回転調整に活用することができるスペースによって、鋼球７０の圧入部の形状の最適化が可能である。またその材質や板厚も任意に選択して最適化を図ることができる。
【００３４】
このような押え円板７１とロータヨーク３６の段部６９とを用いたバランス調整の方法によれば、振動低減の調整作業の作業時間を短縮でき、大量生産時における振動調整機の台数を削減して設備投資の削減を図ることが可能になる。また押え円板７１として安価な鋼板を用いることによって、材料費の大幅な削減が可能になる。しかも押え円板７１の板厚を薄くすることによって、回転ヘッドドラム２０の軸線方向の寸法を短くして回転ヘッドドラム装置の薄型化が可能になる。また従来のような重りの接着、接着剤の塗布、硬化に比較して、重りの脱落や飛散に対する信頼性が大幅に向上する。
【００３５】
以上本願に含まれる発明を図示の実施の形態によって説明したが、本願の発明は上記実施の形態によって限定されるものではなく、発明の技術的思想の範囲内において各種の変更が可能である。例えば上記実施の形態は直径が２１．７ｍｍφの小型の回転ヘッドドラム２０を有する回転ヘッドドラム装置に関するものであるが、本願の発明はその他各種の大きさあるいは形式の回転ヘッドドラム装置に広く適用可能である。
【００３６】
【発明の効果】
本願の主要な発明は、外周部に臨んでヘッドを取付けた回転ドラムを有する回転ヘッド装置において、回転ドラムの軸線方向の一端側に外周側に向かって開放された段部から成りかつ円周方向に沿って保持部を有する保持部材を設けるとともに、ほぼ円板状をなす押え板を具備し、押え板の外周部にほぼ半径方向に延びるスリットを円周方向に沿って設け、該スリットに切込みによる押え部を形成し、円周方向の所定の位置の保持部に球状をなすバランスウエートを保持し、押え板の外周部に形成されているほぼ半径方向に延びるスリットによって弾性変形させて押え部によってバランスウエートを押えて回転調整を行なうようにしたものである。
【００３７】
従ってこのような回転ヘッドドラム装置によれば、保持部の円周方向の所定の位置に球状のバランスウエートを保持させることによって回転ヘッドドラムの回転調整を行なうことが可能になる。
【００３８】
本願の別の発明は、回転ドラムの軸線方向の一端側に保持部を設けるとともに、回転ドラムの軸線方向の他端側に第２の保持部を設け、保持部および第２の保持部の所定の位置にそれぞれ球状をなすバランスウエートを保持して回転調整を行なうようにしたものである。
【００３９】
従ってこのような回転ヘッドドラム装置によれば、回転ヘッドドラムの軸線方向の両端側にそれぞれ設けられている保持部によって回転バランスをとることが可能になり、これによって回転バランスをとるとともに偶力の発生を防止することが可能になる。
【００４０】
本願のさらに別の発明は、回転ドラムと固定ドラムとを軸線方向に重ねて配し、テープ状記録媒体を回転ドラムに対してヘリカルに巻付けて回転ドラムに設けたヘッドによってテープ状記録媒体に対して斜めに走査するようにした回転ヘッドドラム装置であって、固定ドラム内に回転ドラムを回転駆動するモータを配し、しかも該モータのロータを回転ドラムに固定し、さらに回転ドラム上にロータリトランスを配し、モータのロータの外周部に保持部を設けるとともに、回転ドラム上であってロータリトランスのロータの外周側に第２の保持部を設け、保持部および第２の保持部の円周方向の所定の位置にそれぞれバランスウエートを取付けるようにしたものである。
【００４１】
従ってこのような回転ヘッドドラム装置によれば、モータのロータの外周側の第１の保持部と回転ドラム上であってロータリトランスの外周側の第２の保持部の円周方向の所定の位置にそれぞれバランスウエートを取付けることによって、回転ドラムの回転バランスをとるとともに、偶力の発生を防止することが可能になる。
【図面の簡単な説明】
【図１】回転ヘッドドラム装置の外観斜視図である。
【図２】同要部縦断面図である。
【図３】回転ヘッドドラムの斜視図である。
【図４】回転ヘッドドラムの平面図である。
【図５】回転ヘッドドラムの組立て断面図である。
【図６】回転ヘッドドラムの底面図である。
【図７】ロータリトランスのロータの平面図である。
【図８】同ロータの縦断面図である。
【図９】同ロータの底面図である。
【図１０】同ロータの側面図である。
【図１１】同ロータに設けられている端子取付け板のばね接点の構造を示す要部拡大斜視図である。
【図１２】ヘッドコンタクト端子を支持する端子取付け板の平面図である。
【図１３】同端子取付け板に設けられているヘッドコンタクト端子の要部拡大斜視図である。
【図１４】同ヘッドコンタクト端子の要部正面図である。
【図１５】図１２におけるＡ〜Ａ線断面図である。
【図１６】ヘッドコンタクト端子のばね接点の部分の拡大側面図である。
【図１７】押え板の平面図である。
【図１８】同押え板のスリットの拡大平面図である。
【図１９】別の押え板の平面図である。
【図２０】同押え板のスリットの拡大平面図である。
【図２１】さらに別の押え板の拡大平面図である。
【図２２】同押え板のスリットの拡大平面図である。
【符号の説明】
１‥‥回転ドラム、２‥‥ヘッドベース、３‥‥磁気ヘッド、４‥‥端子取付け板、５‥‥ヘッドコンタクト端子、６‥‥貫通孔、７‥‥リード、８‥‥ロータ（ロータリトランス）、９‥‥コイル巻線、１０‥‥接続用基板、１１‥‥接続用ランド、１４‥‥切込み、１５‥‥半田棒、１６‥‥フレキシブルプリント基板、２０‥‥回転ヘッドドラム、２１‥‥固定ガイドドラム、２２‥‥補助ガイド、２３‥‥ビデオ信号用フレキシブル基板、２４‥‥モータ駆動用フレキシブル基板、２７‥‥ヘッドベース、２８‥‥磁気ヘッド、２９‥‥予圧ばね、３０‥‥支軸、３１、３２‥‥軸受ベアリング、３３‥‥中心孔、３４‥‥コイル基板（ステータ）、３５‥‥端子取付け板、３６‥‥ロータヨーク、３７‥‥マグネット、３８‥‥バックヨーク、３９‥‥貫通穴、４０‥‥ビス、４１‥‥ロータ、４２‥‥ステータ、４３‥‥取付けボス、４６‥‥溝、４７‥‥巻線、４８‥‥端子取付け板、４９‥‥端子、５０‥‥ばね接点、５１‥‥傾斜面、５２‥‥切欠き、５３‥‥案内壁、５４‥‥取付け板、５５‥‥アーム、５６‥‥ビス挿通孔、５７‥‥ビス、６０‥‥突起状部、６１‥‥傾斜案内面（楔状案内面）、６２‥‥リブ、６３‥‥ヘッドコンタクト端子、６４‥‥電極部、６５‥‥案内板、６６‥‥ばね接点、６９‥‥バランスウエート保持部（段部）、７０‥‥鋼球（バランスウエート）、７１‥‥押え円板、７２‥‥スリット、７３‥‥切込み（押え部）、７４‥‥モールドリング、７５‥‥バランスウエート保持溝、７６‥‥鋼球（バランスウエート）
【図１】
0003952163.tif 000002
【図２】
0003952163.tif 000003
【図３】
0003952163.tif 000004
【図４】
0003952163.tif 000005
【図５】
0003952163.tif 000006
【図６】
0003952163.tif 000007
【図７】
0003952163.tif 000008
【図８】
0003952163.tif 000009
【図９】
0003952163.tif 000010
【図１０】
0003952163.tif 000011
【図１１】
0003952163.tif 000012
【図１２】
0003952163.tif 000013
【図１３】
0003952163.tif 000014
【図１４】
0003952163.tif 000015
【図１５】
0003952163.tif 000016
【図１６】
0003952163.tif 000017
【図１７】
0003952163.tif 000018
【図１８】
0003952163.tif 000019
【図１９】
0003952163.tif 000020
【図２０】
0003952163.tif 000021
【図２１】
0003952163.tif 000022
【図２２】
0003952163.tif 000023